(57)【要約】【課題】  ＩＣカードとＩＣホルダにより構成される携帯型ＩＣ機器を用いて、正当な者だけが格納されたデータを見ることが可能な格納データ表示システムを提供する。【解決手段】  指紋センサ２４により取得された指紋データは、ＩＣカード１０に送信されて、認証判定部１６が、不揮発性メモリ１４に記録された指紋データと照合する。照合の結果、正当である場合は、送信処理部１７が、不揮発性メモリ１４内の格納データをＩＣホルダ２０に送信する。ＩＣホルダ２０では、ＩＣカード１０から受信した格納データを表示部２３に表示させると共に、時間管理部２１が経過時間の計時を開始する。所定の時間が経過すると時間管理部２１は、表示部２３に表示の消去命令を送信し、表示部２３は表示されている格納データを消去する。【選択図】  図１
2006201900.tif 000002
【特許請求の範囲】
【請求項１】
ＩＣカード、当該ＩＣカードを保持するＩＣホルダにより構成される格納データ表示システムであって、
前記ＩＣカードは、正当利用者の指紋データを記憶する記憶手段と、前記ＩＣホルダから取得した指紋データと前記記憶手段に記憶された正当利用者の指紋データを照合することにより取得した指紋データの正当性を認証する認証判定手段と、前記認証判定手段により正当であると認証された場合に、前記記憶手段内に記録された格納データを前記ＩＣホルダに送信する手段を有し、
前記ＩＣホルダは、利用者の指紋データを取得する指紋センサと、前記ＩＣホルダから受信した格納データを表示する表示手段と、時間を管理する時間管理手段を有し、当該時間管理手段が管理する経過時間が所定の時間に達した場合に、前記表示内容を表示部から消去するものであることを特徴とする格納データ表示システム。
【発明の詳細な説明】
【技術分野】
【０００１】
本発明は、携帯型電子機器を利用した、セキュリティ性の高い格納データ表示技術に関する。
【背景技術】
【０００２】
近年、ＩＳＯ７８１６で規定されるＩＣカードの接触通信と、ＵＳＢ（ユニバーサル・シリアル・バス）通信、さらには、ＩＳＯ１４４４３で規定されるＩＣカードの非接触通信等の複数のインターフェースを備えたＩＣデバイスが開発されている（例えば、特許文献１参照）。このようなＩＣデバイスは、小型のＩＣカードとＩＣホルダにより構成されており、ＩＣカードへの情報の入出力がＩＣホルダを介して可能となっている。一方、ＩＣカードは、社員証カードなどでネットワークアクセス用ＩＤカードとして注目されはじめている。また、ＩＣカードを利用した電子マネーシステムも普及しはじめている。
【０００３】
【特許文献１】特開２００４−２６４９１５号公報
【発明の開示】
【発明が解決しようとする課題】
【０００４】
しかしながら、上記従来のＩＣカードでは、格納されたデータを確認することが困難であり、また、上記ＩＣデバイスでは、本人認証を行った上での管理が困難であるため、例えば、ＩＣデバイスを拾った人が格納されたデータを見ることができてしまう等の危険性がある。
【０００５】
そこで、本発明は、ＩＣカードとＩＣホルダにより構成される携帯型ＩＣ機器を用いて、正当な者だけが格納されたデータを見ることが可能な格納データ表示システムを提供することを課題とする。
【課題を解決するための手段】
【０００６】
上記課題を解決するため、本発明では、ＩＣカード、当該ＩＣカードを保持するＩＣホルダにより構成されており、前記ＩＣカードは、正当利用者の指紋データを記憶する記憶手段と、前記ＩＣホルダから取得した指紋データと前記記憶手段に記憶された正当利用者の指紋データを照合することにより取得した指紋データの正当性を認証する認証判定手段と、前記認証判定手段により正当であると認証された場合に、前記記憶手段内に記録された格納データを前記ＩＣホルダに送信する手段を有し、前記ＩＣホルダは、利用者の指紋データを取得する指紋センサと、前記ＩＣホルダから受信した格納データを表示する表示手段と、時間を管理する時間管理手段を有し、当該時間管理手段が管理する経過時間が所定の時間に達した場合に、前記表示内容を表示部から消去する格納データ表示システムを提供する。
【発明の効果】
【０００７】
本発明によれば、携帯型ＩＣ機器を利用してＩＣカードに記録された情報を随時確認することが可能になると共に、正当利用者以外の者がＩＣカードに記録された情報を知ることを防ぐことが可能となる。さらに、情報を表示した後、所定時間経過すると、表示が消去されるため、セキュリティが向上する。
【発明を実施するための最良の形態】
【０００８】
以下、本発明の好適な実施形態について、図面を参照して詳細に説明する。
（システム構成）
図１は、本発明に係る格納データ表示システムの構成を示すブロック図である。図１において、１０はＩＣカード、１１はホルダＩ／Ｆ、１２はＲＯＭ、１３はＲＡＭ、１４は不揮発性メモリ、１５はＣＰＵ、１６は認証判定部、１７は送信処理部、２０はＩＣホルダ、２１は時間管理部、２２は指示入力部、２３は表示部、２４は指紋センサ、２５はＣＰＵ、２６はＨＵＢ、２７はＩＣ・Ｉ／Ｆである。
【０００９】
ＩＣカード１０は、ホルダＩ／Ｆ１１、ＲＯＭ１２、ＲＡＭ１３、不揮発性メモリ１４、ＣＰＵ１５を備えた構成となっている。ＩＣカード１０は、ＩＣホルダ２０等の接触式ＩＣカードリーダライタと接触式での通信を行う。ＩＣカード１０として、本実施形態では、ＳＩＭを用いる場合を想定して説明する。ＳＩＭ（Ｓｕｂｓｃｒｉｂｅｒ  Ｉｄｅｎｔｉｔｙ  Ｍｏｄｕｌｅ）とは、クレジット決済用の個人識別情報等を記録した小型のＩＣカードである。
【００１０】
ホルダＩ／Ｆ１１は、ＩＣカード１０が装着されているＩＣホルダ２０の接触端子と接触して電気的導通を行う接触端子などを備え、ＩＣカード１０がＩＣホルダ２０に挿入され、互いの接触端子が接続されることによって、電源、クロックの供給をＩＣホルダ２０から受ける。すなわち、ホルダＩ／Ｆ１１は、ＩＣホルダ２０からの情報の入力およびＩＣホルダ２０への情報の出力を行う入出力手段であって、ＩＣホルダ２０との接触式での通信を媒介する。
【００１１】
ＲＯＭ１２、ＲＡＭ１３、不揮発性メモリ１４は、ＣＰＵ１５の処理に必要なプログラム、データ等の情報を記憶するための記憶手段である。ＲＯＭ１２は、読み出し専用メモリであって、オペレーティングシステム（ＯＳ）、実行環境等のプログラム、プログラムの処理に必要なデータ等を記憶している。ＲＡＭ１３は、揮発性メモリであり、ＣＰＵ１５が処理を行うための作業領域として使用される。
【００１２】
不揮発性メモリ１４は、ＥＥＰＲＯＭ、フラッシュメモリ、ＦＲＡＭ等の随時書き換え可能な不揮発性のメモリであり、利用者の作業領域、プログラム領域等として使用される。不揮発性メモリ１４は、利用者を正当利用者と認証するために必要な情報である正当利用者の指紋データを記憶している。正当利用者の指紋データとは、正当利用者の指紋の特徴を示すデータである。また、不揮発性メモリ１４には、指紋認証のために必要な処理を行うためのプログラムが記憶されている。また、不揮発性メモリ１４には、正当利用者以外に知らせるべきでない秘密情報が格納データとして記録されている。このような格納データとしては、クレジットカードの番号、暗証番号等がある。
【００１３】
ＣＰＵ１５は、ＩＣホルダ２０から受信する情報に応じて記憶手段に格納されているＯＳ、アプリケーション等のプログラムを実行し、種々の演算および制御を行い、ＩＣカード１０を統括制御し、認証判定部１６、送信処理部１７を実現する。
【００１４】
認証判定部１６は、ＩＣホルダ２０を介してＩＣカード１０に入力された利用者の指紋データと、不揮発性メモリ１４に記憶されている正当利用者の指紋データとを照合し、一致するか否かによって、そのときのＩＣカード１０の利用者が正当利用者であるか否かの認証判定処理を行う機能を有する。利用者の指紋データは、ＩＣホルダ２０の指紋センサ２４により取得され、ＩＣカード１０に入力される。
【００１５】
送信処理部１７は、認証判定部１６により正当利用者であると判定された場合に、不揮発性メモリ１４に記憶された格納データを、ＩＣホルダ２０に送信する処理を行う。
【００１６】
ＩＣホルダ２０は、時間管理部２１、指示入力部２２、表示部２３、指紋センサ２４、ＣＰＵ２５、ＨＵＢ２６、ＩＣ・Ｉ／Ｆ２７を備えている。時間管理部２１は、ＣＰＵのクロックに基づいて時間を管理するものである。指示入力部２２は、外部からの指示を入力するためのものであり、その指示は基本的には利用者による操作ボタンＢの操作により行われる。表示部２３は、利用者に対して情報を表示出力するためのものである。
【００１７】
指紋センサ２４は、その上に置かれた指の指紋データを取得する。指紋データは、指紋データの特徴点のデータであっても良く、２つの指紋データを比較して一致又は不一致の照合を所望の精度で行うことができれば良い。ＩＣカード１０の不揮発性メモリ１４に記憶されている指紋データについても同様である。また、指紋センサ２４として用いるセンサの方式としては、光学式、静電式、感熱式、電界式、圧力式などいずれであっても良く、センサが設けられる装置の使用形態に合わせることが望ましい。
【００１８】
ＣＰＵ２５は、ＩＣホルダ２０全体を統括制御する機能を有している。ＨＵＢ２６は、ＣＰＵ２５とＩＣ・Ｉ／Ｆ２７の間の接続を中継する。ＩＣ・Ｉ／Ｆ２７は、装着されているＩＣカード１０の接触端子に対応する接触端子を備え、ＩＣカード１０との接続を媒介する。
【００１９】
図１に示したＩＣホルダ２０の外観を図２に示す。図２に示すように、ＩＣホルダ２０は、その表面に指紋センサ２４、表示部２３を備えると共に、その側面に複数の操作ボタンＢを有している。ＩＣホルダ２０は、側面に設けられた挿入口からＩＣカード１０を挿入することが可能となっており、内部にＩＣカード１０を保持することができる。内部にＩＣカード１０を装着した状態において、図１に示したように、ホルダＩ／Ｆ１１とＩＣ・Ｉ／Ｆ２７が接続された状態となる。
【００２０】
（処理動作）
続いて、図１に示したシステムの処理動作について説明する。まず、利用者が、操作ボタンＢの操作により電源スイッチをＯＮにすると、ＩＣホルダ２０内のＣＰＵ２５が起動し、表示部２３にメニュー画面を表示させる。ここで、ＩＣカード内に格納された格納データを確認するため、利用者は「格納データ確認」を選択したものとする。この選択は、複数ある操作ボタンＢのうちの一つを操作することにより行うことができる。すると、ＣＰＵ２５により指紋認証ルーチンが起動されると共にＩＳＯ７８１６に従ったＩ／Ｆが起動され、指紋センサ２４が起動すると共に、表示部２３には「指をセンサに置いて下さい」等の指紋照合を促すメッセージが表示される。このメッセージに従って、利用者が指紋センサ２４に指を乗せると、指紋センサ２４は指が乗せられたことを検知して、その指から指紋データを取得する。取得された指紋データは、ＩＣホルダ２０のＣＰＵ２５の命令により、ＩＣカード１０に送信される。
【００２１】
ＩＣカード１０が指紋データを受信すると、認証判定部１６は、受信した指紋データと、不揮発性メモリ１４に記憶されている指紋データを照合し、認証判定処理を行う。指紋データが一致せず、認証しないと判定した場合には、ＩＣカード１０は「否」のステータスのレスポンスをＩＣホルダ２０に送信する。ＩＣホルダ２０は、「否」のステータスのレスポンスを受信した場合には、処理を終了する。なお、認証判定部１６が「否」と判定した回数は不揮発性メモリ１４に記憶され、「正」と判定するまで累積してカウントされる。この回数が所定の回数に達した場合には、一定時間指紋データの受付を拒否する状態となる。一方、認証判定部１６が一致すると判定した場合には、送信処理部１７が、不揮発性メモリ１４内の格納データをＩＣホルダ２０に送信する処理を行う。
【００２２】
ＩＣホルダ２０では、ＩＣカード１０から格納データを受信すると、時間管理部２１を起動させ、経過時間の計時を開始する。さらに、ＩＣホルダ２０は、表示部２３に格納データを表示する。表示部２３には、クレジットカード番号、暗証番号等の格納データが表示されることになる。利用者は、表示部２３を見ることにより、ＩＣカード１０に格納されている格納データを確認することができる。
【００２３】
一方、ＩＣホルダ２０のＣＰＵ２５は、時間管理部２１が管理する経過時間が所定時間に達すると、表示部２３に対して、現在表示している内容を消去すべき命令を送信する。すると、表示部２３は、表示している格納データを消去する処理を行う。また、外部から指示のない状態でさらに所定の時間が経過すると、ＩＣホルダ２０は表示部２３における表示を停止し、ＣＰＵ２５もＯＦＦにする。
【００２４】
以上、本発明の好適な実施形態について説明したが、本発明は上記実施形態に限定されるものではない。例えば、上記実施形態では、ＩＣカード１０としてＳＩＭを用いた場合について説明したが、ＵＩＭ（Ｕｓｅｒ  Ｉｄｅｎｔｉｔｙ  Ｍｏｄｕｌｅ）等他の形式のＩＣカードであっても良い。また、不揮発性メモリ１４に格納される格納データとしては、電子マネーの残高等の情報であっても良い。
【図面の簡単な説明】
【００２５】
【図１】本発明に係る格納データ表示システムの構成図である。
【図２】ＩＣホルダ２０の外観を示す図である。
【符号の説明】
【００２６】
１０・・・ＩＣカード
１１・・・ホルダＩ／Ｆ
１２・・・ＲＯＭ
１３・・・ＲＡＭ
１４・・・不揮発性メモリ
１５・・・ＣＰＵ
１６・・・認証判定部
１７・・・送信処理部
２０・・・ＩＣホルダ
２１・・・時間管理部
２２・・・指示入力部
２３・・・表示部
２４・・・指紋センサ
２５・・・ＣＰＵ
２６・・・ＨＵＢ
２７・・・ＩＣ・Ｉ／Ｆ
Ｂ・・・操作ボタン
【図１】
2006201900.tif 000003
【図２】
2006201900.tif 000004